(57)【要約】【課題】部品点数を増すことなく、製造コストを上げずに、ダンパプレートとその回動を操作する機構の振動や異音の発生を防止することができるレジスタを提供する。【解決手段】リテーナ２の通風路２ａ内にダンパプレート８がダンパ支持軸９により回動可能に支持され、ダンパプレート操作用のダイヤルノブ１０がリテーナ２の一部に回動可能に軸支されている。ダイヤルノブ１０の操作によりダイヤルノブ１０の回動力をダンパプレート８に伝えてダンパプレート８を開閉させる。ダンパ支持軸９の外側部分に歯付プーリ部７が設けられ、ダイヤルノブ１０のボス部１２に歯付プーリ部１４が設けられる。ダンパ支持軸の歯付プーリ部７とダイヤルノブの歯付プーリ部１４間に、歯付ベルト１６が巻き掛けられる。【選択図】図１
2010052649.tif 000002
【特許請求の範囲】
【請求項１】
リテーナの通風路内にダンパプレートがダンパ支持軸により回動可能に支持され、該ダンパプレート操作用のダイヤルノブが該リテーナの一部に回動可能に軸支され、該ダイヤルノブの操作により該ダイヤルノブの回動力を該ダンパプレートに伝えて該ダンパプレートを開閉させるレジスタにおいて、
該ダンパ支持軸の外側部分に歯付プーリ部が設けられ、該ダイヤルノブのボス部に歯付プーリ部が設けられ、該ダンパ支持軸の該歯付プーリ部と該ダイヤルノブの該歯付プーリ部間に、歯付ベルトが巻き掛けられたことを特徴とするレジスタ。
【請求項２】
前記歯付ベルトとして弾性を有し無端状の歯付ベルトが使用されることを特徴とする請求項１記載のレジスタ。
【発明の詳細な説明】
【技術分野】
【０００１】
本発明は、自動車室内等の換気や空調の空気吹出口に使用されるレジスタにおいて、通風路内にダンパプレートを開閉可能に支持し、ダンパプレートをダイヤルノブの操作により開閉させるレジスタに関する。
【背景技術】
【０００２】
自動車用の空調用レジスタとして、風向等を調整するためにベゼル内に横可動ルーバと縦可動ルーバを配設し、その可動ルーバを設けた通風路の後部に、送風を止め或は風量を調整するダンパプレートが開閉可能に設けられたレジスタが、下記特許文献１などにおいて知られている。
【０００３】
このレジスタで使用されるダンパ機構は、通風路内にダンパプレートが軸支されると共に、手動操作用のダイヤルノブがリテーナの前面側部に枢支され、そのダイヤルノブの後部に設けた歯部に、ダンパアームが連係してダンパプレートの軸に連結され、ダイヤルノブの操作によりダンパプレートを回動させて、送風を止め或は風量を調整するように構成される。
【０００４】
ところで、この種のレジスタのダンパ機構においては、手動操作によりダイヤルノブを操作してダンパプレートをスムーズに回動させるために、ダイヤルノブのボス部の軸受孔とリテーナ側の支持軸との間、及びダンパプレートの支持軸とその軸受部となるリテーナの軸孔との間に、ある程度の隙間を作り、各部品の寸法公差範囲内での寸法のばらつきによる軸の噛み付きなどを防止して、円滑にダンパプレートが回動操作できるようにしている。
【０００５】
しかし、このようなダイヤルノブのボス部の軸受孔とリテーナ側の支持軸との間、或いはダンパプレートの支持軸とその軸受部となるリテーナの軸孔との間の隙間が、寸法誤差などにより大きくなると、ダイヤルノブとダンパプレートを連結する部材が、自動車の振動や風の流れなどにより振動し、異音を発生しやすくなる課題があった。
【０００６】
そこで、本出願人は、下記特許文献２に記載されるように、ダンパプレートの支持軸を、その軸受部であるリテーナに対し、線状ばね、板ばねなどのばね部材により、軸と直交する方向に付勢して押し付けるようにし、振動による異音の発生を防止するようにしたレジスタを提案した。
【特許文献１】実開平１−１４８５５３号公報
【特許文献２】特開２００７−１０６３５２号公報
【発明の開示】
【発明が解決しようとする課題】
【０００７】
このレジスタのダンパプレートの支持軸は、ばね部材により、軸と直交する方向に付勢されて、軸受部に押し付けられ、軸と軸受部間に隙間があったとしても、振動による異音の発生を防止することができるが、このために、支持軸を付勢するばね部材が必要となり、そのばね部材を組付けるための組付工数が必要となるなど、レジスタの製造コストが増してしまう課題があった。
【０００８】
本発明は、上記の点に鑑みなされたものであり、部品点数を増すことなく、製造コストを上げずに、ダンパプレートとその回動を操作する機構の振動や異音の発生を防止することができるレジスタを提供することを目的とする。
【課題を解決するための手段】
【０００９】
上記目的を達成するために、本発明の請求項１のレジスタは、リテーナの通風路内にダンパプレートがダンパ支持軸により回動可能に支持され、該ダンパプレート操作用のダイヤルノブが該リテーナの一部に回動可能に軸支され、該ダイヤルノブの操作により該ダイヤルノブの回動力を該ダンパプレートに伝えて該ダンパプレートを開閉させるレジスタにおいて、該ダンパ支持軸の外側部分に歯付プーリ部が設けられ、該ダイヤルノブのボス部に歯付プーリ部が設けられ、該ダンパ支持軸の該歯付プーリ部と該ダイヤルノブの該歯付プーリ部間に、歯付ベルトが巻き掛けられたことを特徴とする。
【００１０】
この発明によれば、ダンパプレートのダンパ支持軸側の歯付プーリ部とダイヤルノブの歯付プーリ部間に、歯付ベルトが巻き掛けられ、歯付ベルトのテンションによる付勢力がダンパ支持軸に対し其の軸と直角方向にかかるため、ダンパ支持軸とリテーナの挿入孔間などに隙間があった場合でも、自動車の振動や通風路内の風による振動がダンパ支持軸などに伝達されることは防止される。
【００１１】
したがって、ダンパ支持軸やダンパプレートなどの振動によるがたつきや異音の発生を防止することができる。また、ダイヤルノブとダンパ支持軸を連結して回転を伝達する部材の組み付けは、歯付ベルトを歯付プーリ部と歯付プーリ部間に巻き掛けるだけでよいため、部品点数が少なく、容易に組み付けを行なうことができ、安価な製造コストで実施することができる。
【００１２】
請求項２の発明は、上記請求項１のレジスタにおいて、上記歯付ベルトとして弾性を有し無端状の歯付ベルトを使用することを特徴とする。
【００１３】
この発明によれば、歯付ベルトを少し引張させながら、歯付プーリ部と歯付プーリ部間に簡単に巻き掛けることができ、ダンパ支持軸などに歯付ベルトのテンションによる付勢力（荷重）を付与し、ダンパ支持軸などの振動によるがたつきや異音の発生を効果的に防止することができる。
【発明の効果】
【００１４】
本発明のレジスタによれば、ダンパプレートやダンパ支持軸のがたつきや振動が防止され、その振動などによる異音の発生を防止することができる。また、ダンパプレートとダイヤルノブ間の回転伝達機構に必要な部品点数を少なくし、製造時には、歯付ベルトを歯付プーリ部間に簡単に組み付けることが可能となり、組付け工数を少なくして製造コストを低減することができる。
【発明を実施するための最良の形態】
【００１５】
以下、本発明の一実施形態を図面に基づいて説明する。図１は車両のインストルメントパネルなどに装着される空調用のレジスタの斜視図を示し、図２は同レジスタのII-II断面図を、図３は同レジスタの左側面図を示している。
【００１６】
このレジスタは、図１に示すように、方形断面のダクト状に形成されたリテーナ２とリテーナ２の前部に嵌着されるベゼル１を備え、リテーナ２の前部は、その下部が正面に突き出し、その上部が後方に後退した斜め形状に形成され、リテーナ２内には通風路２ａが形成されている。リテーナ２の前部に傾斜して取り付けられるベゼル１の前面部には、空気吹出口１ａとダイヤルノブ用のノブ用開口部１ｂが設けられている。
【００１７】
図２に示すように、リテーナ２内の通風路２ａの後部内に、送風を止め或は風量を調整するために、ダンパ機構のダンパプレート８が回動操作可能に配設される。ダンパプレート８の一方の側部にダンパ軸部８ｂが突設され、このダンパ軸部８ｂは、リテーナ２の側壁に設けた凹部または孔に回動自在に嵌合される。ダンパプレート８は板状に形成され、その縁部にスポンジシートなどの軟質縁部８ａが取着され、閉鎖時にはその軟質縁部８ａを通風路２ａの内周面に接触させて、密閉性を良好にしている。
【００１８】
ダンパプレート８の他方の側部には、リテーナ２の挿入孔２ｂ（図４）に外側から挿入される、ダンパ支持軸９の先端部が嵌着され、ダンパプレート８は、このダンパ支持軸９と上記ダンパ軸部８ｂとにより回動可能に支持される。図４のように、ダンパ支持軸９の先端部には、嵌着部９ａが設けられ、このダンパ支持軸９の嵌着部９ａがダンパプレート８の左側縁部に嵌着固定される。
【００１９】
ダンパプレート８をリテーナ２内に装着する際、先ずダンパ軸部８ｂをリテーナ２内に嵌め込み、リテーナ２の左側の側壁に設けた挿入孔２ｂの外側から、ダンパ支持軸９をリテーナ２内に差し込み、ダンパ支持軸９の先端の嵌着部９ａをダンパプレート８の左側縁部に嵌着させる。
【００２０】
このダンパ支持軸９と挿入孔２ｂとの間には、各部材の寸法公差範囲内の寸法誤差と回動性を考慮して、ある程度の隙間が設けてある。この隙間によるダンパ支持軸９の振動やがたつきなどは、後述のように、ダンパ支持軸９に巻き掛けた歯付ベルト１６のテンションにより防止することができる。
【００２１】
ダンパ支持軸９の外側先端には、歯付プーリ部７がダンパ支持軸９と同軸上に一体成形され、或いは別個に成形された歯付プーリ部７が、ダンパ支持軸９の先端にダンパ支持軸９と同軸上に嵌着される。歯付プーリ部７は、ＰＶＣなどの硬質合成樹脂により、所定ピッチの歯部をプーリの外周に設けて成形される。
【００２２】
一方、図４に示すように、リテーナ２の左側壁部の前部外側にノブ支持軸１３が突設され、そのノブ支持軸１３には、ダイヤルノブ１０がそのボス部１２の操作荷重付与部１５を外嵌させるように嵌め込まれ、ダイヤルノブ１０が操作荷重をもって回動可能に支持される。
【００２３】
ダイヤルノブ１０は、略ホイール状のノブ本体１１を有し、そのノブ本体１１の前部が略扇形（半円弧状）の操作部として形成されている。また、ノブ本体１１の略中央にボス部１２が設けられ、ボス部１２には、上記の如く、操作荷重を付与するための操作荷重付与部（ゴム状弾性体製）１５が嵌着され、その操作荷重付与部１５の中央の軸孔に、ノブ支持軸１３を嵌入するように、ダイヤルノブ１０は装着される。なお、ノブ本体１１の操作部には、軟質表皮部を被覆形成することもできる。
【００２４】
さらに、ダイヤルノブ１０のノブ本体１１のボス部１２には、歯付プーリ部１４がボス部１２と同心状に一体形成され、或いは別個に成形された歯付プーリ部１４がボス部１２に対し同心状に嵌着される。その歯付プーリ部１４と上記ダンパ支持軸９の歯付プーリ部７との間には、歯付ベルト１６が巻き掛けられ、ダイヤルノブ１０の駆動力をダンパプレート８に伝達するようになっている。
【００２５】
この歯付プーリ部１４は、上記歯付プーリ部７と同様に、ＰＶＣなどの硬質合成樹脂により、所定ピッチの歯部を外周に設けて成形される。歯付プーリ部７と歯付プーリ部１４の外径の大きさは、ダイヤルノブ１０の操作角度範囲とダンパプレート８の回動範囲との関係、及び操作時に必要な回動力との関係により、任意に設定される。
【００２６】
ダイヤルノブ１０の歯付プーリ部１４とダンパ支持軸９の歯付プーリ部７間に巻き掛けられる歯付ベルト１６は、汎用の動力伝動用ベルトを使用することができる。この歯付ベルト１６は、弾性を有した無端ベルトであり、例えば、外側面の背ゴムと内側面の歯ゴムとを一体成形した２層構造で成形され、背ゴムの内側には補強用の芯線（アラミドなど）が埋設される。背ゴムと歯ゴムはポリウレタン、クロロプレンゴムなどの合成ゴムを材料に成形され、長手方向に適度な弾性を有している。また、歯付ベルト１６の歯のピッチは、歯付プーリ部７，１４の歯のピッチに合わせて設定される。
【００２７】
このような歯付ベルト１６は、ダイヤルノブ１０の歯付プーリ部１４とダンパ支持軸９の歯付プーリ部７間に巻き掛けられて装着されるが、巻き掛けられた歯付ベルト１６は長手方向に弾性を有しており、僅かではあるが引張されて歯付プーリ部間に装着される。このため、歯付ベルト１６には、ある程度のテンションがかかり、ダンパ支持軸９とダイヤルノブ１０のボス部１２には、その軸と直角方向に歯付ベルト１６による適度な荷重が印加される。
【００２８】
このため、各部品の製造時、寸法公差内の誤差（寸法のばらつき）が生じて、ダンパ支持軸９と挿入孔２ｂ間に僅かな隙間がある場合でも、歯付ベルト１６のテンションによりダンパ支持軸９がダイヤルノブ側に付勢（引張）され、その隙間は解消される。これにより、ダンパ支持軸９やダンパプレート８の振動は阻止され、その振動によるがたつきや異音の発生を防止することができる。
【００２９】
なお、ダイヤルノブ１０のノブ本体１１は、その製造時、ＰＶＣなどの硬質合成樹脂により所定の形状に成形されるが、上記ボス部１２の操作荷重付与部１５、軟質表皮部などは、予め成形されたノブ本体１１をインサートとして、熱可塑性エラストマーなどの軟質合成樹脂を用いたインサート成形によって、一度に製造することができる。
【００３０】
一方、レジスタの全体構成においては、図２に示すように、リテーナ２内の前部つまりベゼル１とリテーナ２の間に前可動ルーバ３が配設され、前可動ルーバ３の背後（後方）に後可動ルーバ４が配設される。前可動ルーバ３は、複数の横フィン３ａを一定の間隔で配置し、各横フィン３ａは両側の軸を介してリテーナ２の前部に回動可能に保持される。また、図２に示すように、各横フィン３ａの一方の軸にクランク３ｂが設けられ、各横フィン３ａのクランク３ｂの先端に１本のリンクバー３ｃが連結され、全ての横フィン３ａが同期してその向きを上下に変え得る構造となっている。
【００３１】
後可動ルーバ４は、複数の縦フィン４ａを一定の間隔で配置し、各縦フィン４ａは上下に突設された軸を介してリテーナ２の前部に回動可能に保持される。また、各縦フィン４ａの下の軸に、クランク４ｂが設けられ、各クランク４ｂの先端に１本のリンクバー４ｃが連結され、全ての縦フィン４ａが同期してその向きを左右に変え得る構造となっている。さらに、略中央部に位置する縦フィン４ａの前部に、棒状の連係部が設けられ、スライドノブ５の後部に設けた二叉状の被連係部と係合し、スライドノブ５を左右方向に摺動させたとき、後可動ルーバ４の縦フィン４ａの向きを左右に調整する構造となっている。
【００３２】
スライドノブ５は、前可動ルーバ３の略中央の横フィン３ａ上に、前方に突き出す形態で摺動可能に外嵌されている。このスライドノブ５は、その上下の回動操作により、前可動ルーバ３の各横フィン３ａの向きを上または下に調整し、スライドノブ５の左右方向の摺動操作により、連係部を介して後可動ルーバ４の縦フィン４ａの左右方向を左または右に調整する構造となっている。
【００３３】
上記構成のレジスタは、自動車の車内のインストルメントパネルやダッシュボードの部分に、そのリテーナ２の末端を図示しない通風ダクトに接続するようにして装着される。通風ダクトから送られる空気は、リテーナ２内の通風路２ａから空気吹出口１ａを通して吹き出される。
【００３４】
空気の吹出向きを上または下に調整する場合、スライドノブ５を上または下に操作すると、前可動ルーバ３の横フィン３ａが回動して、その向きが上下に変化し、空気の吹出方向が上下に調整される。
【００３５】
空気の吹出向きを左右に調整する場合、スライドノブ５を右または左に操作すると、後可動ルーバ４の縦フィン４ａが、その上下の回動軸を軸に回動し、その左右の向きが所定の角度範囲で変化し、空気の吹出方向が左右に調整される。
【００３６】
送風を止めまたは絞り或は逆に通風路２ａを開く場合、ベゼル１の正面左端に位置するダイヤルノブ１０を指などで押して上または下に回動させる。このとき、ダイヤルノブ１０はノブ支持軸１３を軸に回動する。
【００３７】
ダイヤルノブ１０の回動力は、歯付プーリ部１４、歯付ベルト１６及び歯付プーリ部７を介してダンパプレート８に伝達され、ダンパプレート８は、通風路２ａの閉鎖方向に、或は開放方向に回動する。このとき、ダンパ支持軸９は、歯付ベルト１６のテンションにより、ダイヤルノブ１０側に僅かであるが、付勢されながら回動する。
【００３８】
このため、ダンパ支持軸９とリテーナ２の挿入孔２ｂ間に隙間があった場合でも、ダンパ支持軸９がその軸と直角方向に荷重を受けてその隙間が解消され、自動車の振動や通風路２ａ内の風による振動がダンパ支持軸９やダンパプレート８に伝達されることは防止される。これにより、ダンパ支持軸９やダンパプレート８の振動によるがたつきや異音の発生を防止することができる。
【００３９】
なお、ダイヤルノブ１０においは、ダイヤルノブ１０のボス部１２の外周位置とリテーナ２の対応する側面の対向位置に、節度感用の弾性突起と其の弾性突起が係合する突部を設けることができる。これにより、ダンパプレート８を全閉位置又は全開位置に操作する際、ダイヤルノブ１０が回動操作端まで回動したとき、ダイヤルノブ１０側の弾性突起がリテーナ２の側壁側の突部を乗り越えて停止するように構成される。これによって、ダイヤルノブ１０の操作時、その回動操作端で、節度感を生じさせてダイヤルノブ１０を止めることができ、ダンパプレート８はその全閉位置又は全開位置で確実に停止させて保持することができる。
【図面の簡単な説明】
【００４０】
【図１】本発明の一実施形態を示すレジスタの斜視図である。
【図２】図１のII-II断面図である。
【図３】同レジスタの左側面図である。
【図４】リテーナ、ダンパプレート、ダンパ支持軸、ダイヤルノブ及び歯付ベルトの分解斜視図である。
【符号の説明】
【００４１】
２      リテーナ
２ａ    通風路
２ｂ    挿入孔
７      歯付プーリ部
８      ダンパプレート
８ｂ    ダンパ軸部
９      ダンパ支持軸
１０    ダイヤルノブ
１１    ノブ本体
１２    ボス部
１３    ノブ支持軸
１４    歯付プーリ部
１６    歯付ベルト
【図１】
2010052649.tif 000003
【図２】
2010052649.tif 000004
【図３】
2010052649.tif 000005
【図４】
2010052649.tif 000006